(57)【特許請求の範囲】
【請求項１】
基板上に、該基板面に沿う回転軸線であるＸ軸を中心に揺動可能に設けられた駆動質量体と、
前記基板上に、前記基板面と交差する回転軸線のＺ軸を中心に揺動可能に設けられた感知質量体と、
前記基板上に設置され、前記Ｘ軸を中心に前記駆動質量体と共に揺動し、前記Ｚ軸を中心に前記感知質量体と共に揺動する媒介質量体と、
前記駆動質量体が前記Ｘ軸を中心に所定の範囲で揺動するよう前記駆動質量体を駆動する駆動電極と、
該駆動電極によって前記駆動質量体が揺動する間に、前記Ｘ軸及びＺ軸に垂直なＹ軸を中心に回転する方向の角速度の印加によって発生したコリオリの力によって前記Ｚ軸を中心に回転する前記感知質量体の変位を測定する感知電極と、
を備えるＭＥＭＳジャイロスコープ。
【請求項２】
前記駆動質量体を前記基板上に連結し、前記駆動質量体が前記Ｘ軸を中心に前記基板に対して相対的に回転可能なように捻れ変形される第１捻れバネと、
前記媒介質量体を前記駆動質量体に連結し、前記媒介質量体が前記Ｚ軸を中心に前記駆動質量体に対して相対的に回転可能なように曲げ変形される第１曲げバネと、
前記媒介質量体を前記感知質量体に連結し、前記媒介質量体が前記Ｘ軸を中心に前記感知質量体に対して相対的に回転可能なように捻れ変形される第２捻れバネと、
前記感知質量体を前記基板上に連結し、前記感知質量体が前記Ｚ軸を中心に前記基板に対して相対的に回転可能なように曲げ変形される第２曲げバネと、
をさらに備える、請求項１に記載のＭＥＭＳジャイロスコープ。
【請求項３】
前記第１捻れバネ及び前記第２捻れバネのうち少なくとも一つは、
互いに平行に配置される板状の一対のビームと、
前記ビームを連結する複数の継手と、
を備える、請求項２に記載のＭＥＭＳジャイロスコープ。
【請求項４】
前記第２捻れバネは、
Ｘ軸を中心に捻れ変形される第１ビームと、
該第１ビームの両端に、前記第１ビームと交差するように連結され、前記Ｘ軸とＺ軸とに交差するＹ軸を中心とする捻れを誘発する第２ビームと、
を備える、請求項２に記載のＭＥＭＳジャイロスコープ。
【請求項５】
前記第１曲げバネ及び前記第２曲げバネのうち少なくとも一つは、一部位が互いに連結されている一対の板状のビームを備えている、請求項２に記載のＭＥＭＳジャイロスコープ。
【請求項６】
前記駆動電極及び前記感知電極のうち少なくとも一つは、くし状構造を有している、請求項１に記載のＭＥＭＳジャイロスコープ。
【請求項７】
前記駆動電極は、
前記基板上に起立し互いに実質的に平行に形成された複数の固定壁を有し、前記基板上に固定された固定電極と、
それぞれの前記固定壁間にそれぞれ配置され、Ｚ軸方向の長さが前記固定壁に比べて短い複数の移動壁を備え、前記駆動質量体に連結された移動電極と、
を備える、請求項６に記載のＭＥＭＳジャイロスコープ。
【請求項８】
前記駆動質量体と前記媒介質量体とは、実質的に四角枠状を有している、請求項１に記載のＭＥＭＳジャイロスコープ。
【請求項９】
前記媒介質量体は前記駆動質量体の内側空間に配置され、前記感知質量体は前記媒介質量体の内側空間に配置されている、請求項８に記載のＭＥＭＳジャイロスコープ。
【請求項１０】
前記感知質量体はリング状である、請求項１に記載のＭＥＭＳジャイロスコープ。
【請求項１１】
前記駆動質量体、前記媒介質量体及び前記感知質量体には複数のエッチングホールが形成されている、請求項１に記載のＭＥＭＳジャイロスコープ。
【請求項１２】
前記感知電極の固定電極、前記第１捻れバネ及び前記第１曲げバネは、共通の電極パッドで連結され電気的に接地されることを特徴とする請求項２に記載のＭＥＭＳジャイロスコープ。
【発明の詳細な説明】
【０００１】
【発明の属する技術分野】
本発明はＭＥＭＳジャイロスコープに係り、さらに詳しくは駆動質量体の運動と感知質量体の運動とが相互に独立してなされる回転型デカップルドＭＥＭＳジャイロスコープに関する。
【０００２】
【従来の技術】
ＭＥＭＳ(Micro electro mechanical systems)は機械的、電気的部品を半導体工程を用いて具現する技術であって、ＭＥＭＳ技術を用いた素子の一例が角速度を測定するジャイロスコープである。ジャイロスコープは所定の速度で移動する物体に回転角速度が加わる場合に発生するコリオリの力(Coriolis Force)を測定して角速度を測定する。この際、コリオリの力は移動速度と外力による回転角速度の外積(cross product)に比例する。ジャイロスコープがコリオリの力を発生させ、またこれを感知するためには、ジャイロスコープはその内部で振動を行なう質量体を備えている。
【０００３】
図１はＭＥＭＳジャイロスコープを概略的に示した図であって、特に回転型ジャイロスコープを示した図面である。
駆動方向Ａ、入力方向Ω及び感知方向Ｓは、空間上で相互に直交する方向に設定される。通常、ＭＥＭＳ技術を用いたジャイロスコープでは、基板の板面に平行であり、相互に直交する二つの方向(以下、これを'Ｘ軸方向'及び'Ｙ軸方向'と称する)と基板の板面に垂直な一方向(以下、これを'Ｚ軸方向'と称する)で構成された座標軸を設定する。図１において駆動方向ＡはＸ軸方向に設定されており、入力方向ΩはＹ軸方向に設定されており、感知方向ＳはＺ軸方向に設定されている。
【０００４】
質量体はＸ軸を中心に回転可能に設けられ、駆動電極(図示せず)によってＸ軸中心に揺動するよう駆動される。質量体が揺動する間に外部からＹ軸を中心に回転する方向の角速度が印加されれば、質量体にはＺ軸を中心に回転する方向のコリオリの力が加わる。この力によって質量体がＺ軸方向に回転移動されれば、この際回転移動された変位を感知電極(図示せず)が測定し、よって前記角速度の大きさを算出できるようになる。
図１には説明の便宜のため、一つの質量体が駆動電極によって駆動される駆動質量体の機能とコリオリの力によって移動され感知電極によって感知される感知質量体の機能を全て行なう例が示されている。しかし、最近は駆動質量体と感知質量体が分離され作製されており、このような形態のジャイロスコープをデカップルド(decoupled)ジャイロスコープと称する。このようなデカップルドジャイロスコープは、駆動質量体を共振を用いて駆動させると同時に、感知質量体の動きも駆動質量体の共振周波数に接近させるべき問題点を有しない長所がある。
【０００５】
しかし、前述したようなデカップルドジャイロスコープは駆動質量体と感知質量体が完全に分離されておらず、駆動質量体だけデカップルド構造よりなっていたり(例えば、特許文献１、特許文献２など)、感知質量体だけデカップルド構造よりなっている(例えば、特許文献３、特許文献４)。
駆動質量体だけデカップルド構造よりなる場合は、駆動質量体は駆動される運動だけ行ない、感知質量体は駆動される運動とセンシングされる運動を全て行なう。従って、感知質量体のセンシングされる運動が駆動される運動と共に現われるという問題点がある。
【０００６】
逆に、感知質量体だけデカップルド構造よりなっている場合、駆動質量体は駆動される運動とセンシングされる運動を全て行ない、感知質量体はセンシングされる運動だけ行なう。従って、駆動質量体の駆動される運動がコリオリの力が働く方向に影響を与えうる問題点がある。
また、前述したような特許文献１、２及び３に開示されたようなジャイロスコープは、基板に垂直であるＺ軸方向を中心に入力される角速度だけを測定できるため、一平面上に２軸の角速度を測定できない問題点がある。従って、多軸角速度を感知できるジャイロスコープを作製したい場合、垂直に数字を配置する組立工程をさらに必要とする。
【０００７】
水平方向の軸(Ｘ軸またはＹ軸)に対する入力角速度を測定するためには、質量体を垂直に駆動する駆動電極を備えたりあるいは質量体の垂直変位を感知するための感知電極を備えるべきである。前述したような垂直方向の駆動電極または感知電極を作製するためには、従来は基板上に固定された固定電極と固定電極の上部に離隔されている移動電極を作製した。このような電極を駆動電極として使用する場合は移動電極と固定電極との間に可変電圧を印加して移動電極を駆動し、感知電極として使用する場合は固定電極と移動電極との距離によって変わる静電力を感知して角速度を測定する。
【０００８】
ところがこのような構造を有する電極は、移動電極が固定電極の上部に積層された構造を有しているため、その作製が極めて難しいという短所がある。すなわち、前述したような電極を作製するためには、まず基板上に固定電極を形成する工程を行なった後、固定電極上に犠牲層を蒸着させる。それから、犠牲層上に移動電極を形成し犠牲層を除去する。このように、固定電極の上部に浮上された移動電極を形成するためには数多くの工程が行なわれる。
また、移動電極の垂直方向上の変位を精密に測定するためには移動電極と固定電極との間隔が狭くなるべきなので、移動電極と固定電極間の粘着現象が発生できるという問題点も抱えている。
【０００９】
一方、前記特許文献４には前述した図１に示した通り、基板の平面上に存在する任意の１軸に作用する角速度を感知するジャイロスコープが提案されている。ここでは浮揚力(levitation force)を用いて駆動質量体を基板上の任意の１軸(例えばＸ軸)について揺動させることによって基板の平面に垂直な軸(Ｚ軸)を中心に回転される感知運動が発生するようにした。
しかし、このようなジャイロスコープはリングタイプの構造物及び回転運動のための円形の電極配置によって空間を大きく占める問題点がある。従って、一つのウェーハ上に多数のジャイロスコープを作製する場合、ジャイロスコープを構成する部品が配置されず浪費される空間が生じて単位面積のウェーハ内に作製されるジャイロスコープの個数が減る。
【００１０】
また、このようなジャイロスコープは感知質量体の回転を感知する感知電極が感知質量体の半径方向に沿って配置される構造を有するため、感知電極内の駆動電極と移動電極との間隔が半径方向によって大きくなる問題点がある。感知電極内の移動電極と固定電極は正確な感知のためにはその間隔が狭くかつ均一にすべきなので、移動電極と固定電極との間隔の増加は感知性能の劣化をもたらす。
【００１１】
【特許文献１】
ＵＳ６０６７８５８
【００１２】
【特許文献２】
ＵＳ６２４０７８０
【００１３】
【特許文献３】
ＵＳ６１２２９６１
【００１４】
【特許文献４】
ＷＯ０１／２０２５９
【００１５】
【発明が解決しようとする課題】
本発明は前述したような問題点を解決するために案出されたもので、その目的は駆動質量体と感知質量体が全てデカップルド構造を有することによって角速度感知性能をアップできる回転型ＭＥＭＳジャイロスコープを提供するところにある。
本発明の他の目的は、垂直方向の駆動が容易であり作製工程が単純で省スペースの回転型ＭＥＭＳジャイロスコープを提供するところにある。
【００１６】
本発明のさらに他の目的は、感知電極内の移動電極と固定電極との間隔が均一であり、よって感知電極の感知性能がアップされた回転型ＭＥＭＳジャイロスコープを提供するところにある。
【００１７】
【課題を解決するための手段】
前述した目的を達成するための本発明に係るＭＥＭＳジャイロスコープは、
・基板面に実質的に平行な回転軸線であるＸ軸を中心に揺動可能に、前記基板上に設けられた駆動質量体と、
・前記基板上に、前記基板面に実質的に垂直な回転軸線であるＺ軸を中心に揺動可能に設けられた感知質量体と、
・前記基板上に設けられ、前記Ｘ軸を中心に前記駆動質量体と共に揺動し、前記Ｚ軸を中心に前記感知質量体と共に揺動する媒介質量体と、
・前記駆動質量体が前記Ｘ軸を中心に所定の範囲で振動するよう前記駆動質量体を駆動する駆動電極と、
・該駆動電極によって前記駆動質量体が振動する間に角速度の印加によって発生したコリオリの力によって前記Ｚ軸を中心に回転する前記感知質量体の変位を測定する感知電極と、
を備える。
【００１８】
前記駆動質量体は第１捻れバネによって基板に固定され、これにより前記駆動質量体は前記Ｘ軸を中心に前記基板に対して相対的に回転可能になる。前記媒介質量体は第１曲げバネによって前記駆動質量体に固定され、よって前記媒介質量体は前記Ｚ軸を中心に前記駆動質量体に対して相対的に回転可能になる。前記媒介質量体は第２捻れバネによって前記感知質量体に固定され、これにより前記媒介質量体は前記Ｘ軸を中心に前記感知質量体に対して相対的に回転可能になる。前記感知質量体は第２曲げバネによって前記基板上に固定され、これにより前記感知質量体は前記Ｚ軸を中心に前記基板に対して相対的に回転可能になる。
【００１９】
本発明によれば、駆動質量体が揺動する間媒介質量体は揺動するが、感知質量体は停止された状態を維持し、コリオリの力が発生する際媒介質量体が回転すれば感知質量体が回転する。従って、駆動質量体と感知質量体が全てデカップルド構造を有するようになり、ジャイロスコープの角速度感知性能がアップする。
【００２０】
【発明の実施の形態】
以下、添付した図面に基づき本発明をさらに詳述する。以下の説明では、前述した従来の技術に対する説明と同様に、基板の板面方向に垂直の方向を'Ｚ軸方向'とし、板面方向に平行な方向のうち図面中の左右方向を'Ｘ軸方向'とし、板面方向に平行な方向のうち図面中の上下方向を'Ｙ軸方向'と称する。
図２は本発明に係るＭＥＭＳジャイロスコープの望ましい実施例を示した図であり、図３は図２の側断面図であり、図４は図２の一部分を示した図であって主に基板上に浮上されている部分を示した図である。
【００２１】
本発明に係る回転型ＭＥＭＳジャイロスコープは、基板１００上に配置される駆動質量体１０、駆動質量体１０を駆動するための駆動電極１１０、駆動質量体１０の駆動状態を感知する垂直感知電極１２０、駆動質量体１０の内側に配置された媒介質量体２０、媒介質量体２０の内側に配置された感知質量体３０、及び感知質量体３０の変位を感知する回転感知電極１３０を有している。基板１００上には絶縁層１００ａが形成されており、駆動質量体１０、媒介質量体２０及び感知質量体３０はこの絶縁層１００ａの上部に浮上した状態に形成される。
【００２２】
駆動質量体１０は略四角枠状を呈する。基板１００上には駆動質量体１０を固定させるための一対の固定部１２が駆動質量体１０の外側方に形成されている。駆動質量体１０は一対の第１捻れバネ５１によって各固定部１２に固定されている。
第１捻れバネ５１は、図５（Ａ）に示した通り、互いに平行に配置される一対のビーム５１ａ、５１ｂを有している。ビーム５１ａ、５１ｂは基板１００上に垂直に配置された板の形状を有する。ビーム５１ａ、５１ｂは複数の継手５１ｃによって互いに連結されている。従って、第１捻れバネ５１は実質的に垂直方向に穿孔されたブロックの形状を有する。このような構造によって第１捻れバネ５１は捻れ方向には容易に変形されるが、各ビーム５１ａ、５１ｂの板面方向の曲げは容易でなくなる。したがって、単純なビーム形状に作製される場合に比べて捻れ剛性に対する曲げ剛性の比率が増加される。
【００２３】
図２及び図４に示された通り、前述したような構造の第１捻れバネ５１はＸ軸方向に沿って配置されている。従って、駆動質量体１０はＸ軸を中心に揺動可能なように基板１００について固定され、Ｚ軸を中心に回転する方向には基板１００について固定される。
媒介質量体２０は略四角枠状を呈し、駆動質量体１０の内側空間に配置されている。駆動質量体１０と媒介質量体２０は一対の第１曲げバネ６１によって互いに固定されている。
【００２４】
第１曲げバネ６１は、図６（Ａ）、（Ｂ）に示した通り、一部位が互いに固定された一対の板状のビーム６１ａ、６１ｂを有している。ビーム６１ａ、６１ｂの間には、第１曲げバネ６１を駆動質量体１０に固定するための固定板６１ｃが形成されている。ビーム６１ａ、６１ｂと固定板６１ｃとは基板１００上で起立した状態に配置される。このような構造によってビーム６１ａ、６１ｂはＺ軸を中心にした回転方向に加わる外力によって曲げ変形される。従って、第１曲げバネ６１によって、媒介質量体２０はＺ軸を中心に駆動質量体１０について相対的に回転可能であり、駆動質量体１０がＸ軸を中心に回転する時は媒介質量体２０は駆動質量体１０と共に回転する。
【００２５】
感知質量体３０はリング状を呈する。基板１００の中央部には感知質量体３０を固定するための円形の固定部３２が形成されており、感知質量体３０は固定部３２の外側に固定部を取り囲むように配置される。固定部３２の外周面は第２曲げバネ６２を設ける空間が形成されるよう陥没されている。第２曲げバネ６２は固定部３２と感知質量体３０を連結する機能を果たす。
第２曲げバネ６２は第１曲げバネ６１と類似した構造を有する。すなわち、図７（Ａ）、（Ｂ）に示した通り、第２曲げバネ６２は一部位が互いに固定された一対の板状のビーム６２ａ、６２ｂ、及びビーム６２ａ、６２ｂを固定部に固定させるための固定板６２ｃを有している。この際、図６に示す第１曲げバネ６１とは違って、一対のビーム６２ａ、６２ｂは平行でなく所定の角度を有するよう配置されて略円弧状を呈している。このような構造は、感知質量体３０の回転移動を考慮したものである。ビーム６２ａ、６２ｂと固定板６２ｃとは基板１００上で起立した状態に配置される。このような構造によってビーム６２ａ、６２ｂはＺ軸を中心にした回転方向に加わる外力によって曲げ変形される。従って、第２曲げバネ６２によって感知質量体３０はＺ軸を中心に固定部３２について相対的に回転可能になる。
【００２６】
特に、Ｘ軸とＺ軸の回転運動が同時に発生する媒介質量体２０の円滑なカップルド運動のために、第２捻れバネ５２は図５（Ｂ）のようにＸ軸捻れを誘発するビームとこの両端にＹ軸捻れが同時に発生するビームが組み合わせられた構造である。
駆動電極１１０は駆動質量体１０のＹ方向上の側方にそれぞれ設けられ、基板１００上で駆動質量体１０と同一平面に配置される。駆動電極１１０はくし状構造によって互いに結合された固定電極１１０ａと移動電極１１０ｂとから構成されている。基板１００上には駆動電極１１０に電圧を印加するための駆動端子１１５が形成されている。
【００２７】
固定電極１１０ａは、図８（Ａ）、（Ｂ）に示した通り、基板１００上に固定された多数の板状の固定壁を有している。固定壁は基板１００上に起立するよう配置され、また互いに平行に配置される。移動電極１１０ｂは駆動質量体１０に固定された板状の移動壁を有している。それぞれの移動壁はそれぞれの固定壁間の空間に配置される。移動壁の高さ方向の長さ、すなわちＺ軸方向の長さは、固定壁の高さ方向の長さに比べて短く、移動壁の下端部は基板１００から所定の高さだけ離隔されている。これにより、移動電極１１０ｂは基板１００上から垂直方向に揺動自在になる。
【００２８】
垂直感知電極１２０は駆動質量体１０のＸ方向上の側方にそれぞれ設けられる。垂直感知電極１２０もくし状構造によって互いに結合された固定電極１２０ａと移動電極１２０ｂとから構成されている。固定電極１２０ａは基板１００上に固定され、移動電極１２０ｂは駆動質量体１０に固定される。垂直感知電極１２０の構造は図８（Ａ）、（Ｂ）に示された駆動電極１１０の構造と実質的に同一である。基板１００上には垂直感知電極１２０の変位によって変わる静電力を感知する装置が連結されるための垂直感知端子１２５が形成されている。
【００２９】
駆動電極１１０と垂直感知電極１２０は四角枠状の駆動質量体１０の外側面のほぼ全区間に亘って配置され、また駆動端子１１５と垂直感知端子１２５は駆動電極１１０と垂直感知電極１２０の外側に配置され、ジャイロスコープは全体的に長方形を呈する。従って、ウェハ上に複数のジャイロスコープを作製する場合、浪費される空間なしで数多くのジャイロスコープを作製することができる。
回転感知電極１３０は媒介質量体２０の内側空間に設けられている。回転感知電極１３０は、駆動電極１１０と同様に、くし状構造によって互いに結合された固定電極１３０ａと移動電極１３０ｂを有している。固定電極１３０ａは基板１００上に固定され、移動電極１３０ｂは感知質量体３０に固定される。基板１００の中央部である媒介質量体２０の内側空間には回転感知電極１３０の変位によって変わる静電力を感知する装置が連結されるための回転感知端子１３５が形成されている。
【００３０】
感知質量体３０は基板１００上からＹ軸方向に延びた垂直ビーム３０ａと、垂直ビーム３０ａからＸ軸方向に延びた多数本の水平ビーム３０ｂを有しており、移動電極１３０ｂはこの水平ビーム３０ｂに形成される。このような水平ビーム３０ｂの配置によって感知質量体３０は四角枠状の媒介質量体２０の内側空間のほぼ全領域に亘って形成でき、これにより基板１００上で浪費される空間なしで基板１００の全領域が効果的に活用される。
固定電極１３０ａは略ジグザグ形状の側面を有し、移動電極１３０ｂは固定電極１３０ａのジグザグ形状の側面に対応する形状を有する。このようなジグザグ形状の相互結合構造は、感知質量体３０が回転する際感知質量体３０の中心から半径方向に遠ざかるほど移動電極１３０ｂと固定電極１３０ａとの距離が大きくなることを防止する機能を果たす。前記感知電極１３０の固定電極１３０ａ、前記第１捻れバネ５１及び前記第１曲げバネ６１は、共通の電極パッドで連結され、電気的に接地されている。
【００３１】
図９ないし図１１には前述したような感知電極のジグザグ形状の多様な例が示されている。
移動電極１３０ｂは固定電極１３０ａと一定した間隔を維持するよう配置される。この際、移動電極１３０ｂが固定電極１３０ａに対して接近または離隔するように移動する時この間隔は狭くなったり広くなり、この際の固定電極１３０ａと移動電極１３０ｂとの間隔は相互接近及び離隔する側面の全範囲に亘って実質的に均一な間隙を維持しつつ狭くなったり広まるように構成する。
【００３２】
移動電極１３０ｂ上の一点における接線角をθとする際、θは次の式から求められる。
【００３３】
【数２】
0004368116.tif 000002
【００３４】
ここで、ｒは回転感知電極１３０の回転中心から接線角がθとなるような移動電極１３０ｂ上の一点までの距離である。また、ｇは固定電極１３０ａと移動電極１３０ｂとの作製可能な最小間隔である。ψは固定電極１３０ａと移動電極１３０ｂとの挟み角である。
回転中心からｒi方向への直線と回転中心からｒ方向への直線がなす角度である電極位置角φは、次の式によって求められる。
【００３５】
【数３】
0004368116.tif 000003
【００３６】
ここで、ｒiは、回転感知電極１３０の回転中心から固定電極１３０ａと移動電極１３０ｂの最内側までの半径である。ｒは回転感知電極１３０の回転中心から接線角θが算出される位置までの電極位置半径である。
前述したような接線角θを有するよう移動電極１３０ｂと固定電極１３０ａの相互対向する側面を形成することによって、移動電極１３０ｂが固定電極１３０ａについて接近及び離隔時移動電極１３０ｂと固定電極１３０ａとの距離が実質的に均一に維持される。
【００３７】
以下、前述したような構成を有する本発明に係るＭＥＭＳジャイロスコープの動作を説明する。
図１２に示した通り、駆動電極１１０には駆動端子１１５に連結された駆動電圧供給装置２１５から経時的に変わる電圧が印加される。駆動電極１１０に印加される電圧の周波数は、駆動質量体１０の駆動力を最大化して駆動効率をアップさせるために、駆動質量体１０の固有振動数と一致させることが望ましい。
垂直感知電極１２０の垂直感知端子１２５と回転感知電極１３０の回転感知端子１３５には、それぞれ垂直感知装置２２５と回転感知装置２３５が連結されている。垂直感知装置２２５と回転感知装置２３５は、それぞれの固定電極１２０ａ、１３０ａと移動電極１２０ｂ、１３０ｂ間の静電力の変化を感知する。
【００３８】
駆動電極１１０に電圧が印加されれば、駆動電極１１０によって発生する静電力によって図１３に示された通り駆動質量体１０がＸ軸方向を中心に回転移動する。駆動質量体１０の回転方向は駆動電極１１０に印加される電圧の極性変化によって変わり、これにより駆動質量体１０はＸ軸を中心に揺動する。この際、駆動質量体１０が第１捻れバネ５１によって固定部１２に固定されているため駆動質量体１０はＸ軸を中心に揺動可能である。また、媒介質量体２０が第１曲げバネ６１によってＺ方向に駆動質量体１０について相対固定されているため、媒介質量体２０は駆動質量体１０と共にＸ軸を中心に揺動する。
【００３９】
この際、感知質量体３０は第２捻れバネ５２によってＸ軸を中心に媒介質量体２０について相対回転可能に連結されており、また感知質量体３０は第２曲げバネ６２によってＺ軸を中心に回転する方向の運動だけ可能なので、媒介質量体２０が駆動質量体１０と共に揺動する間に感知質量体３０は停止された状態を維持する。
垂直感知電極１２０に連結された垂直感知装置２２５は駆動質量体１０のＺ方向上の変位を測定し、測定された値は制御器(図示せず)に提供される。制御器は、垂直感知装置２２５の測定値に基づき、駆動質量体１０がＸ軸を中心に効果的に振動できるよう駆動電極１１０に供給される電界を制御する。
【００４０】
駆動質量体１０と媒介質量体２０とが振動する間ジャイロスコープにＹ軸を中心に回転する方向の角速度が印加されれば、駆動質量体１０と媒介質量体２０にはＺ軸方向を中心に回転する方向にコリオリの力が加わる。駆動質量体１０は第１捻れバネ５１によってＺ軸を中心に回転する方向上に基板１００上に固定されているが、媒介質量体２０は第１曲げバネ６１によってＺ軸を中心に駆動質量体１０について相対回転可能である。従って、コリオリの力が加われば媒介質量体２０は図１４に示したようにＺ軸を中心に回転する。
【００４１】
媒介質量体２０が回転すれば、媒介質量体２０と感知質量体３０とは捻れ方向に変形される第２捻れバネ５２によって連結されているため、感知質量体３０も図１４に示したように媒介質量体２０と共に回転する。この際、回転感知電極１３０内の固定電極１３０ａと移動電極１３０ｂとの距離が変わり、このような距離の変化によって回転感知電極１３０の静電容量の変化が発生する。回転感知装置２３５はこの静電容量の変化を測定し、制御器(図示せず)はこのような回転感知電極１３０の静電容量の変化を用いてＹ軸を中心に回転する方向に入力される外力による角速度を算出する。
【００４２】
【発明の効果】
以上述べたとおり、本発明によれば駆動質量体１０が揺動する間媒介質量体２０は揺動するが、感知質量体３０は停止された状態を維持し、コリオリの力が発生する際媒介質量体２０が回転すれば感知質量体３０が回転する。すなわち、駆動質量体１０は駆動方向にだけ運動し、感知質量体３０は感知方向へだけ運動し、これにより駆動質量体１０と感知質量体３０が全てデカップルド構造を有する。従って、ジャイロスコープの角速度感知性能がアップする。
【００４３】
また、駆動質量体１０のＸ軸を中心にする揺動が駆動質量体１０と同一な平面上に形成された固定電極１１０ａと移動電極１１０ｂを有する駆動電極１１０によって制御される。従って、駆動電極１１０がジャイロスコープ内の他部分の作製工程遂行時同様な工程内で共に作製できるため作製工程が単純化する。
また、回転感知電極１３０内の移動電極１３０ｂと固定電極１３０ａとの間隔が移動電極１３０ｂが移動する間実質的に均一に維持されるため、回転感知電極１３０の感知性能がアップする。
【００４４】
そして、本発明によれば、駆動質量体１０と媒介質量体２０などが四角枠状に配置されており、また各電極が駆動質量体１０の外側に配置されジャイロスコープの全体的な形状が四角形を呈する。従って、ウェハ上に多数のジャイロスコープの作製時ジャイロスコープの間に不要な空間が無くなってウェハの空間効率が増加する。
また、本発明に係るジャイロスコープをＺ軸を中心に９０度回転して配置すればＸ軸を中心に回転する方向への入力角速度を測定できるため、同一な方式による２軸ジャイロスコープを同一基板１００に同一マスクを使用して作製することができ、同一な感度、同一な信号処理部、及び同一なチップサイズを有するなどの長所を持った２軸ジャイロスコープを作製することができる。また、このようなジャイロスコープを垂直方向に対する入力角速度を感知するジャイロスコープと共に作製する場合３軸ジャイロスコープを作製することができる。
【００４５】
以上では本発明の望ましい実施例について示しかつ説明したが、本発明は前述した特定の実施例に限らず、請求の範囲で請求する本発明の要旨を逸脱せず当該発明の属する技術分野において通常の知識を持つ者ならば誰でも多様な変形実施が可能なことは勿論、そのような変更は請求の範囲の記載の範囲内にある。
【図面の簡単な説明】
【図１】従来の回転型ＭＥＭＳジャイロスコープの一例を概略的に示した図。
【図２】本発明に係る回転型ＭＥＭＳジャイロスコープの望ましい実施例を示した図。
【図３】図２の側断面図。
【図４】図２において基板上に浮上された部分を示した図。
【図５】（Ａ）図２の第１捻れバネの拡大斜視図。
（Ｂ）図２の第２捻れバネの拡大斜視図。
【図６】（Ａ）図２の第１曲げバネを示す斜視図。
（Ｂ）図２の第１曲げバネを示す平面図。
【図７】（Ａ）図２の第２曲げバネを示す斜視図。
（Ｂ）図２の第２曲げバネを示す平面図。
【図８】（Ａ）図２の駆動電極及び垂直感知電極の構造を示す斜視図。
（Ｂ）同図（Ａ）のＡ-Ａ線に沿った断面を示す断面斜視図。
【図９】図２の水平感知電極の構造を示した図。
【図１０】図２の水平感知電極の構造を示した図。
【図１１】図２の水平感知電極の構造を示した図。
【図１２】図２に示された回転型ＭＥＭＳジャイロスコープに電圧が加わった状態を示した図。
【図１３】駆動質量体が駆動された状態を示す図２の概略的部分側面図。
【図１４】図１３の平面図。
【図１】
0004368116.tif 000004
【図２】
0004368116.tif 000005
【図３】
0004368116.tif 000006
【図４】
0004368116.tif 000007
【図５】
0004368116.tif 000008
【図６】
0004368116.tif 000009
【図７】
0004368116.tif 000010
【図８】
0004368116.tif 000011
【図９】
0004368116.tif 000012
【図１０】
0004368116.tif 000013
【図１１】
0004368116.tif 000014
【図１２】
0004368116.tif 000015
【図１３】
0004368116.tif 000016
【図１４】
0004368116.tif 000017